(57)【要約】 【課題】  本発明は、折版屋根の凹谷部に設置する雪止め具を、製作コストの安価な比較的簡単な構造にして、確実に滑落阻止と融雪効果を挙げることができる製品を提供することを目的とする。 【解決手段】  折版屋根体ａの左右頂部面に適当間隔をおいて定置板１，１・・を設け、この定置板の各掛止部２，２・・間には谷部ｂを懸架する横杆材３，３・・を設け、この横杆材には格子状に成る柵部材４，４’の上端部を固着し、両柵部材の下端部は合わせて底杆材５に止着し、このように成る両柵部材は自由な角度に開口し得るように成る折版屋根における雪止め取付具である。【選択図】    図１
2016020614.tif 000002
【特許請求の範囲】
【請求項１】
折版屋根体の左右頂部面に適当間隔をおいて定置板を設け、この定置板の各掛止部間には谷部を懸架する横杆材を設け、この横杆材には格子状に成る柵部材の上端部を固着し、両柵部材の下端部は合わせて底杆材に止着し、このように成る両柵部材は自由な角度に開口し得るように成ることを特徴とする折版屋根における雪止め取付具。
【請求項２】
折版屋根体の左右頂部面に適当間隔をおいて定置板を設け、この定置板の左右の各掛止部間には谷部に懸架する横杆材を設け、この横杆材の一方には格子状の柵部材の上端部を固着し、横杆材の他方には格子状の柵部材の上側部が横杆材を超えて上方に延設して成り、両柵部材の下端部は合わせて底杆材に止着し、このように成る両柵部材は自由な角度に開口し得るように成ることを特徴とする折版屋根における雪止め取付具。
【発明の詳細な説明】
【技術分野】
【０００１】
本発明は、折版屋根における雪止め器の取付具に関するものである。
【背景技術】
【０００２】
従来、本件発明者は、下記特許文献１におけるような折版屋根用雪止め具の発明をしているが、これ自体は比較的大規模な構造のものであるため、積雪の滑落阻止を十分発揮するとともに線材による切削力を発揮して積雪の細断と融解に貢献することはあっても、構造が複雑すぎるとともに製作コストが高価となる欠点があった。
【０００３】
また、下記特許文献２にあっては、積雪とすが漏れ防止の装置として創作されたもので、多数の棒材を格子状に構成した全体が篭型に成るが、滑落防止の効果は特になかった。
【０００４】
また、特許文献３にあっては、全体が網体形に成るもので前記特許文献２とその効果は変わらず、実用性に乏しいものであった。
【０００５】
さらに、特許文献４にあっては、折版屋根上に本体を凹谷部間に横架したアングルに取付ける雪止め部材を設けただけのもので、実用性に乏しいものであった。
【先行技術文献】
【特許文献】
【０００６】
【特許文献１】特開２０１３−２３８０７０号公報
【特許文献２】特開２００４−３０８１４０号公報
【特許文献３】特開２０１０−２７０５４４号公報
【特許文献４】登録実用新案第３１９０２７８号公報
【発明の概要】
【発明が解決しようとする課題】
【０００７】
そこで、本発明は、折版屋根の凹谷部に設置する雪止め具を、製作コストの安価な比較的簡単な構造にして、確実に滑落阻止と融雪効果を挙げることができる製品を提供することを目的とする。
【課題を解決するための手段】
【０００８】
本発明は、折版屋根体の左右頂部面に適当間隔をおいて定置板を設け、この定置板の各掛止部間には谷部を懸架する横杆材を設け、この横杆材には格子状に成る柵部材の上端部を固着し、両柵部材の下端部は合わせて底杆材に止着し、このように成る両柵部材は自由な角度に開口し得るように成る。
【０００９】
また、本発明は、折版屋根体の左右頂部面に適当間隔をおいて定置板を設け、この定置板の左右の各掛止部間には谷部に懸架する横杆材を設け、この横杆材の一方には格子状の柵部材の上端部を固着し、横杆材の他方には格子状の柵部材の上側部が横杆材を超えて上方に延設して成り、両柵部材の下端部は合わせて底杆材に止着し、このように成る両柵部材は自由な角度に開口し得るように成る。
【発明の効果】
【００１０】
２つの実施例にあっても、折版屋根の凹谷部に配置する複数の柵部材は各谷部の任意箇所において接近する前後に適当間隔に開いているから、積雪に対する滑落を二重に防止することができるとともに、空気の流通が円滑になり、融解が促進されることになる。
【００１１】
また、柵部材の高さは積雪が凹谷部内に保留されるのみならず、それより高い位置にあったとしても、滑落を確実に阻止することができるストッパーとして調整する機能を有している。
【図面の簡単な説明】
【００１２】
【図１】実施例１の正斜視図
【図２】同上の平面図
【図３】同上の側面図
【図４】一部品の正面図
【図５】他部品の正面図
【図６】実施例２の正斜視図
【図７】図２の正面図
【図８】同上の一側面図
【図９】一部品の正面図
【図１０】他部品の正面図
【発明を実施するための形態】
【００１３】
本取付具を折版屋根の凹谷部に配置するときは、施工者は、雪国地方の地域性に応じて検討し、前後に開口する角度を決めた上で設置すればよいし、またその配置間隔や数も状態を見て臨機応変に決めればよい。
【実施例１】
【００１４】
図１乃至図３に示した実施例について説明する。
【００１５】
ａは適当深さに谷部ｂとこの谷部の左右両側部に適度の傾斜面を形成して成る折版屋根体を示す。
【００１６】
１，１・・は前記折版屋根体ａの左右頂部面に左右適当間隔をおいて設置した定置板で、この定置板の形状は任意であるが、谷部ｂの両頂部水平面部に固着する。
【００１７】
２，２・・は前記定置板１，１・・に設けた掛止部で、この掛止部間には前記谷部ｂ上を横架する横杆材３，３の外端部を係止して懸架する。
【００１８】
４，４’は前記各横杆材３，３の中央部付近に上端部を固着した格子状の柵部材で、この柵部材の両下端部は底杆材５に連結６，６するように成る。
【実施例２】
【００１９】
図４乃至図６に示した実施例について説明する。
【００２０】
これにあっては、定置板１，１・・と掛止部２，２・・間に懸架する横杆材３，３は実施例１と同じであるが、横杆材に固着する格子状の柵部材の形態がやや異なる。
【００２１】
即ち、一方の柵部材７はその上端部を前横杆材３の中央部付近に固着するが、他方の柵部材７’はその上側部は横杆材の水平部を超えて上方に延設する。
【００２２】
また、上側部が横杆材の水平部を超え延設する柵部材としては、一方の柵部材においても構成してよい。
【符号の説明】
【００２３】
ａ                            折版屋根体
ｂ                            谷部
１，１・・                    定置板
２，２・・                    掛止部
３，３・・                    横杆材
４，４’                      柵部材
５                            底杆材
６，６                        連結部
７，７’                      柵部材
【図１】
2016020614.tif 000003
【図２】
2016020614.tif 000004
【図３】
2016020614.tif 000005
【図４】
2016020614.tif 000006
【図５】
2016020614.tif 000007
【図６】
2016020614.tif 000008
【図７】
2016020614.tif 000009
【図８】
2016020614.tif 000010
【図９】
2016020614.tif 000011
【図１０】
2016020614.tif 000012